(57)【要約】【課題】  ヘッドレストに嵌合され、ディスプレイの傾斜角度を調整でき、携帯可能であるディスプレイモジュールを提供する。【解決手段】  外ケース３１と内ケース３２とディプレイ３３とを備える。外ケース３１はケーブル３１１によって接触型アダプター３１２に電気的信号を提供し、軸基座３１３を有する。内ケース３２は外ケース３１に嵌合され、軸基座３１３に対応する回転枢軸を有し、外ケース３１内において回転枢軸を軸心にし所定の角度に調整可能である。内ケース３２は接触型アダプター３１２が装着される位置決め部３２２と、弾性係止フック３２３と、弾性スラット３２４とを有する。ディスプレイ３３は内ケース３２に嵌合され、接触型アダプター３１２に接触して通電する電気的インタフェース３３１と、内ケース３２の係止部３２３に係止される係止溝３３２とを有し、内ケース３２に位置決めされて連動し、背面が弾性スラット３２４に接触する。【選択図】  図６
0003102679.tif 000002
【実用新案登録請求の範囲】
【請求項１】
外側面が開放状を呈するケース体であって、ケース体は枕の背面内に嵌合され、底部にケーブルを有することで接触型アダプターに必要な電気的信号を提供し、両側に軸基座を有する外ケースと、
外ケースに嵌合され、かつ外側面が開放状を呈するように設けられるケース体であって、両側に外ケースの両側の軸基座に対応して設けられる回転枢軸を有することで、外ケース内において回転枢軸を軸心にし所定の角度に上下に微調整可能であり、底面には外ケースに接続される接触型アダプターを装着するための位置決め部を有し、上フレーム及び下フレームの周辺に内側に向いて突出する弾性係止フックを有し、底面に突出する弾性スラットを有する内ケースと、
内ケースに装着されかつ周辺に所定の隙間を有するように設けられ、背面には内ケースに装着される接触型アダプターに向かい合い接触により通電可能な電気的インタフェースを有し、内ケースに設けられる係止部に向かい合いそのフックにより係止される係止溝を有することで、内ケースに位置決めされかつその内ケースに連動し、背面が内ケースの弾性スラットに接触するディスプレイと、
を備えることを特徴とする角度を調整可能なヘッドレスト式携帯ディスプレイモジュール。
【請求項２】
外ケースの側辺はケーブルを通すための貫通孔を有し、ケーブルは外ケースの底面に設けられる回路板の後に接続され、回路板を介しソフト配線及び接触型アダプターと接続することを特徴とする請求項１に記載の角度を調整可能なヘッドレスト式携帯ディスプレイモジュール。
【請求項３】
外ケースの両側の軸基座は、外ケースに設けられ且つ第一凹溝を有する二つの回転枢軸収納部と、第二凹溝を有する二つの固定ユニットとを有し、固定ユニットが収納部の上方に位置決めされることで、第一凹溝及び第二凹溝は内ケースの回転枢軸と互いに緊密に噛み合い、内ケースは軸基座に対し回転可能であることを特徴とする請求項１に記載の角度を調整可能なヘッドレスト式携帯ディスプレイモジュール。
【請求項４】
内ケースの表面は、配合する装飾用フレームを有することを特徴とする請求項１に記載の角度を調整可能なヘッドレスト式携帯ディスプレイモジュール。
【請求項５】
内ケースとディスプレイとの間に予め設けられた隙間が薄型カードの挿入に用いられることで、弾性係止フックをぶっ飛ばし係止溝から離脱可能であることを特徴とする請求項１に記載の角度を調整可能なヘッドレスト式携帯ディスプレイモジュール。
【考案の詳細な説明】
【技術分野】
【０００１】
本考案は、ディスプレイの位置決め及び組合せの装置に関し、特に自動車または任意の交通運輸手段のシートのヘッドレストに装着され、かつ観賞角度を微調整したり取出し携帯したりすることが可能であるディスプレイモジュールに関するものである。
【背景技術】
【０００２】
近年、ディスプレイは、その開発が小型化の傾向を明らかに見せ、また価額が安くなっているため、自動車に装備するのが普及している。ディスプレイを前座に装着する場合、その装着方式は通常前方のパネルに固定するか、またはパネル内に嵌め込み、使用の際にパネルから引き出すものである。ディスプレイを後座に装着する場合、その装着方式は通常前座の中央の手置き所に固定するか、または車の最上部の下に固定し、使用の際に車の最上部の下から広げるものである。
【０００３】
ディスプレイが車の最上部の下に装着され、かつ広げられ後座に坐る乗客に使用される場合、特に車が進行している最中、ドライバは後ミラーから後方の視野全体を見ることが不可能である。また、ディスプレイが前座の中央の手置き所に装着される場合、自動車の狭い空間は更に狭くなる。
【０００４】
図１に示すように、台湾特許登録公報第５２０７２３号により掲示される自動車用ディスプレイ１１は、位置決め装置１２により前座の枕部１３上に装着され、回転調節装置１４により自動車用ディスプレイとしての観賞角度を調整可能である。しかし自動車用ディスプレイ１１は枕部１３の表面に突出するため、空間を占めるだけでなく車内全体の美観を損なう。
【０００５】
図２、図３に示すように、米国特許第５，５０５７，５５６号によると、ディスプレイ２１はシートの背もたれ２２に嵌め込まれる構造であり、背もたれ２２の内部はディスプレイ２１を装着固定するように移動板２３を有し、移動板２３上方の両側が背もたれ内の凸耳部２４に枢接されることで、移動板２３は上方の凸耳部２４により角度が調整される。しかし調整の際には、背もたれ２２が後ろ向きに傾斜する時のディスプレイ２１の角度を調整するため、内蔵される鋼製金具などに頼らなければならないし、後座に坐る乗客はディスプレイ２１を直接に調整できない。このような装置は一般乗用車に適用されず、飛行機のファーストクラスのシートに比較的に適用される。かつこのような装置のディスプレイ２１は取り出し携帯することが不可能であるため、使用範囲が大いに制限される。
【０００６】
また本考案者の先行特許第５４０４９６号によるヘッドレスト式ディスプレイの固定装置は、ディスプレイが前座のヘッドレストの後方に装着されるため、後座に坐る乗客がディスプレイを使用するとしても、空間を占めることがなく、ドライバの後ミラーによる視線の邪魔にならない。しかし、該先行発明によるディスプレイは、ヘッドレストの内部に固定されるため、必要に応じて取り出し携帯することが不可能であり、使用範囲が制限され、かつ車内に置きっ放しにされたら、盗まれやすく、車の所有者に被害を与える恐れがある。
【０００７】
したがって本考案は、先行発明に対し改良し、電気的接続、位置決めなどの問題点を克服したうえで、ディスプレイをヘッドレストから簡単に取り出すことを実現するものである。
【考案の開示】
【考案が解決しようとする課題】
【０００８】
本考案の主な目的は、ヘッドレストの後方に嵌合するように設けられ、視聴者の視線の高さによりディスプレイの上向きまたは下向きの傾斜角度を簡易に調整することで、観賞の視線に達する効果がある、角度を調整可能なヘッドレスト式携帯ディスプレイモジュールを提供することにある。
【０００９】
本考案のもう一つの目的は、ディスプレイを嵌合式モジュールから簡易に取り出し、車外に携帯可能であるため、窃盗防犯になるだけでなく、使用範囲をより一層拡大し、多用途のディスプレイに達する、角度を調整可能なヘッドレスト式携帯ディスプレイモジュールを提供することにある。
【課題を解決するための手段】
【００１０】
上述の目的を達成するために、本考案は、外ケースと内ケースとディプレイとを備えるものである。
外ケースは、外側面が開放状を呈するケース体であって、ケース体はヘッドレストの背面内に嵌合され、底部にケーブルを有することで、接触型アダプターに必要な電気的信号を提供し、かつ両側には軸基座を有する。
【００１１】
内ケースは、外ケースに嵌合され且つ外側面が開放状を呈するように設けられるケース体であって、その両側の中央に、外ケースの両側の軸基座に対応して設けられる回転枢軸を有することで、外ケース内において回転枢軸を軸心にし、所定の角度に上下に微調整可能である。かつ内ケースの底面には外ケースにより接続される接触型アダプターを装着するための位置決め部を有し、また内ケースは上、下フレームの周辺に内側に向き突出する弾性係止フックを有し、底面に突出する弾性スラットを有する。
【００１２】
ディスプレイは、内ケースに嵌合されかつ周辺に所定の隙間を有するように設けられ、その背面には内ケースに装着される接触型アダプターに向かい合い接触により通電可能な電気的インタフェースを有する。またディスプレイは内ケースに設けられる係止部に向かい合いそのフックにより係止する係止溝を有することで、内ケースに位置決めされ且つそれに連動し、また背面が内ケースの弾性スラットに接触する。
【考案を実施するための最良の形態】
【００１３】
図４に示すように、本考案の一実施例によるディスプレイモジュール３０は、シートのヘッドレストの背面に嵌め込まれ、その高さが後座に坐る乗客の視聴の高さに比較的相応しい。もちろん、特殊な必要に応じシートの背もたれの背面に嵌め込むことも可能であり、例えば、ヘッドレスト４０がない一体式シートの場合、ヘッド部に接近する位置に装着する方法を選択してもよい。ここで掲示されているシートは自動車用のシートとは限らず、飛行機、船などの全ての運輸機関に適用される。
【００１４】
図５は、本実施例によるディスプレイモジュール３０の外ケース３１及び内ケース３２の立体分解図である。外ケース３１は、外側面が開放状を呈するケース体であって、側辺に同軸ケーブル３１１を通らせるように貫通孔３１４を有することで、接触型アダプター３１２に必要な電気的信号を提供する。かつケーブル３１１は、先に回路板３１５の後に接続され、回路板３１５を介しソフト配線３１６及び接触型アダプター３１２と接続する。内ケース３２は、外ケース３１に嵌合され且つ外側面が開放状を呈するように設けられ、その両側の中央に回転枢軸３２１を有することで、外ケース３１の両側の軸基座３１３に枢接される。軸基座３１３は、外ケース３１に設けられ且つ第一凹溝３１３ａを有する二つの回転枢軸収納部３１３ｂと、第二凹溝３１３ｃを有する二つの固定ユニット３１３ｄとを有する。固定ユニット３１３ｄが収納部３１３ｂの上方に位置決めされることで、第一凹溝３１３ａ及び第二凹溝３１３ｃは内ケース３２の回転枢軸３２１と互いに緊密に噛み合い、図８に示すように内ケース３２は軸基座３１３に対し回転可能であるとともに、内ケース３２は外ケース３１内において回転枢軸３２１を横向きの軸心にし、上向きまたは下向きに所定の角度閘を調整することができる。
【００１５】
また図５に示すように、内ケース３２の底面は、外ケース３２により接続される接触型アダプター３１２を装着するための位置決め部３２２を有し、また内ケース３２は上、下フレームの周辺に内側に向き突出する若干の弾性係止フック３２３を有し、底面に突出する弾性スラット３２４を有する。
【００１６】
図６に示すように、内ケース３２が外ケース３１内に装着された後、周辺フレームの表面は軸基座３１３を装着するための所定の孔を有し、美観を増すために内ケース３２の表面には配合する装飾用フレーム３４が設けられる。装飾用フレーム３４は周辺の若干の突出する係合スロット３４１が、内ケース３２のフレーム面の相対的な位置に設けられる係合孔３２５に緊密に係合されるとともに、装飾用フレームは内ケース３２の表フレーム面に結合され、所定の孔を遮蔽し、図７に示すような状態を呈する。
【００１７】
図６、図７に示すように、ディスプレイ３３は、内ケース３２に配合し内ケース３２に嵌合するように設けられ、その背面には内ケース３２の位置決め部３２２に装着される接触型アダプター３１２に向かい合い、接触により通電可能な電気的インタフェース３３１を有する。またディスプレイ３３は内ケース３２に設けられる係止部３２３に向かい合い、そのフックにより係止する係止溝３２３を有することで、図９に示すように、内ケース３２に位置決めされ且つそれに連動し、かつ背面が内ケース３２の弾性スラット３２４に接触する。
【００１８】
上述の技術及び手段を詳しく説明するために、図８から図１０を参照する。図８は図７における８−８線断面を示す図である。外ケース３１はヘッドレスト４０の背面に嵌め込まれ、内ケース３２は外ケース３１の内部に枢設される。本実施例の主な特徴としては、ディスプレイ３３は周知の通りにヘッドレスト４０内部に固定されるものでなく、単独且つ携帯可能な形態を呈し、内ケース３２に嵌め込まれる場合、図９に示すように上、下の弾性係止フック３２３が係止溝３３２に係止されて位置決めされ、ディスプレイ３３の電気的インタフェース３３１が接触型アダプター３１２に接触することで電気的接続が形成される。またディスプレイ３３の観賞の角度を調整しようとする場合、内ケース３２は軸基座３１３において回転枢軸３２１を軸心にし、上向きまたは下向きに角度を調整可能であり、かつ接触型アダプター３１２は内ケース３２に固定され、ソフト配線３１６は余分な長さを有するため、内ケース３２の角度調整に伴い移動可能であり、ディスプレイの電気的信号に影響をもたらすことが全くなく、映像及び音声の品質が確保される。
【００１９】
また図１０に示すように、ディスプレイ３３を取り出そうとする場合、厚さがクレジットカードくらいのカード５０をディスプレイ３３及び内ケース３２の間の隙間３３３に挿入すれば、弾性係止フック３２３をぶっ飛ばし、ディスプレイ３３の係止溝３３２から離脱させ、それと同時に内ケース３２の底面の弾性スラット３２４に反作用弾力を施せば、ディスプレイ３３を内ケース３２から押し出し、内ケース３２から簡単に取り出すことが可能であるため、使用範囲が拡大され、窃盗または損壊を防止可能である。
【００２０】
したがって、本実施例は特殊なモジュールの設計によるものであり、内ケース３２を外ケース３１内において微調節可能であり、ディスプレイ３３は接触方式により内ケース３２との電気的接触を呈し、また係止及び位置決めの問題を克服したうえで、微調節すること及び単独に取り出すことの二重機能を一体に結合し、進歩性があるものである。
【図面の簡単な説明】
【００２１】
【図１】台湾特許登録公報第５２０７２３号に開示された自動車用ディスプレイを示す構造図である。
【図２】米国特許第５，５０５７，５５６号に開示されたディスプレイを示す斜視図である。
【図３】アメリカ合衆国特許第５，５０５７，５５６号に開示されたディスプレイの内部を示す構造図である。
【図４】本考案の一実施例によるディスプレイモジュールを枕に装着した使用例を示す模式図である。
【図５】本考案の一実施例によるディスプレイモジュールにおける外ケース及び内ケースを示す分解立体図である。
【図６】本考案の一実施例によるディスプレイモジュールにおける内ケースを外ケースに装着する状態を示す模式図である。
【図７】本考案の一実施例によるディスプレイモジュールにおけるディスプレイ及び内ケースを示す立体分解図である。
【図８】図７における８−８線断面を示す断面図である。
【図９】本考案の一実施例によるディスプレイモジュールを示す断面図であって、ディスプレイが内ケースに装着されている状態を示す断面図である。
【図１０】本考案の一実施例によるディスプレイモジュールからディスプレイを取り出そうとする状態を示す模式図である。
【符号の説明】
【００２２】
３０  ディプレイモジュール、３１  外ケース、３２  内ケース、３３  ディスプレイ、３４  装飾用フレーム、４０  ヘッドレスト、５０  カード、３１１  ケーブル、３１２  接触型アダプター、３１３  軸基座、３１３ａ  第一凹溝、３１３ｂ  収納部、３１３ｃ  第二凹溝、３１３ｄ  固定ユニット、３１４  貫通孔、３１５  回路板、３１６  ソフト配線、３２１  枢転軸、３２２  位置決め部、３２３  係止フック、３２４  弾性スラット、３２５  係合孔、３３１  電気的インタフェース、３３２  係合溝、３３３  隙間、３４１  係合スロット
【図１】
0003102679.tif 000003
【図２】
0003102679.tif 000004
【図３】
0003102679.tif 000005
【図４】
0003102679.tif 000006
【図５】
0003102679.tif 000007
【図６】
0003102679.tif 000008
【図７】
0003102679.tif 000009
【図８】
0003102679.tif 000010
【図９】
0003102679.tif 000011
【図１０】
0003102679.tif 000012